(57)【要約】【課題】記録媒体の後端に発生する転写不良と、画像の白抜けやトナーの飛び散り等の画像ノイズの発生を防止できる画像形成装置の転写装置を提供する。【解決手段】中間転写ベルト１２上に感光体上に形成されたトナー像が転写され、転写装置１０に向け移動する。中間転写ベルト１２上のトナー像が転写位置に到達するタイミングに合わせてタイミングローラ対１４が作動し、記録媒体Ｐはガイドユニット１５の転写前上ガイド１６と転写前下ガイド１７とでガイドされて転写位置（ニップ部Ｎ）に搬送される。転写位置ではトナー像が記録媒体Ｐに転写されるが、記録媒体の後端が転写前下ガイド１７のガイド１７ｂの先端から離れるまで中間転写ベルト１２に沿うようにガイドされるから記録媒体後端の転写不良を防止できる。ガイドユニット１５の表面を半導電性材料の被覆体１８で被覆して帯電を防止し、画像ノイズの発生を防ぐ。【選択図】　　　　図１
2004012851.tif 000002
【特許請求の範囲】
【請求項１】
表面にトナー像が形成される像担持体と、前記像担持体に接触し、付与された転写電荷により像担持体上のトナー像を記録媒体に転写する転写機能体と、前記像担持体と転写機能体との接触により形成されるニップ部に向けて搬送される記録媒体を案内するガイド装置とを備えた画像形成装置の転写装置において、
前記ガイド装置は、前記像担持体の側に向けて凸となる山形突起部を備えた第１部材と、該第１部材に一端が固定され、他端が前記ニップ部に向けて延びるフイルム状の第２部材とから構成され、前記第２部材は前記ニップ部の記録媒体搬送方向上流端と前記山形突起部とを結ぶ線よりも前記転写機能体の側に配置されていること
を特徴とする画像形成装置の転写装置。
【請求項２】
前記ガイド装置は、前記ニップ部に向けて延びるフイルム状の第２部材を除き、半導電性の樹脂材料で被覆されていることを特徴とする請求項１記載の画像形成装置の転写装置。
【請求項３】
前記第１部材は、導電性又は半導電性材料で構成されていることを特徴とする請求項１記載の画像形成装置の転写装置。
【請求項４】
前記第２部材は、電気絶縁性材料で構成されていることを特徴とする請求項１記載の画像形成装置の転写装置。
【請求項５】
前記第２部材の先端は、前記転写機能体に接触していることを特徴とする請求項１乃至４のいずれかに記載の画像形成装置の転写装置。
【発明の詳細な説明】
【０００１】
【発明の属する技術分野】
この発明は、電子写真方式の複写機やプリンター等の画像形成装置における感光体や中間転写体である像担持体上に形成されたトナー像を記録媒体に転写する転写装置に関する。
【０００２】
【従来の技術】
従来の電子写真方式の複写機やプリンター等の画像形成装置では、感光体を均一に帯電させ、その上に画像を露光して画像潜像を形成する。そして形成された画像潜像をトナーで現像して画像のトナー像を形成し、これを記録媒体に転写し或いは中間転写体に転写した上でさらに記録媒体に転写し、転写されたトナー像を定着処理して画像形成が行われる。
【０００３】
図６は、中間転写体に中間転写ベルトを使用した従来のタンデム方式のフルカラー画像形成装置１００の一例の構成の概略を説明する正面図である。ループ状の中間転写ベルト１０２が巻掛ローラ１０３、１０４、１０５の間に架設されており、巻掛ローラ１０３は図示しない駆動機構により駆動され、中間転写ベルト１０２は矢印ａ方向に一定の速度で駆動される。
【０００４】
イエロー（Ｙ）、マゼンタ（Ｍ）、シアン（Ｃ）、黒（Ｋ）の４組の作像ユニット１２１Ｙ、１２１Ｍ、１２１Ｃ、１２１Ｋが、中間転写ベルト１０２に沿って直列に配列されている。各作像ユニットは同一の構成であり、それぞれの作像ユニットには、露光装置、帯電装置、感光体、現像装置、クリーニング装置が設けられているが、図示を省略した。また、各作像ユニット１２１Ｙ、１２１Ｍ、１２１Ｃ、１２１Ｋの感光体に対向する位置には、中間転写ベルト１０２を隔てて一次転写装置１２２Ｙ、１２２Ｍ、１２２Ｃ、１２２Ｋが配置されている。
【０００５】
中間転写ベルト１０２の移動方向（矢印ａ方向）の最下流位置の、巻掛ローラ１０３に対向する位置には中間転写ベルト１０２を挟んで２次転写ローラ１０１が配置されて２次転写部１０６が構成されている。また、２次転写部１０６の記録媒体搬送方向上流側にはタイミングローラ対１０７が配置され、２次転写部１０６の記録媒体搬送方向下流側には定着装置１２３が配置されている。
【０００６】
画像形成装置の下部に配置されている給紙部１２５から供給された記録媒体Ｐは、タイミングローラ対１０７を経て、２次転写部１０６の中間転写ベルト１０２と２次転写ローラ１０１との間に搬送されるように構成されている。
【０００７】
なお、１２６は中間転写ベルト１０２の上に残留したトナーを除去するクリーナ、１２０は作像ユニット１２１Ｙ、１２１Ｍ、１２１Ｃ、１２１Ｋを制御する制御部を示す。
【０００８】
次に、その動作を簡単に説明する。図示しない画像読取装置で画像を読取って得られたカラープリントデータ、或いはパーソナルコンピュータ等から出力された画像データは、制御部１２０で所定の信号処理が施された後、イエロー（Ｙ）、マゼンタ（Ｍ）、シアン（Ｃ）、黒（Ｋ）の各色の画像信号として、各作像ユニット１２１Ｙ、１２１Ｍ、１２１Ｃ、１２１Ｋに供給される。
【０００９】
各作像ユニット１２１Ｙ、１２１Ｍ、１２１Ｃ、１２１Ｋでは、それぞれの感光体上に画像信号で変調されたレーザ光が投射されて画像潜像が形成される。
【００１０】
各感光体上に形成された画像潜像は、それぞれ対応する現像装置により現像され、各感光体上にはイエロー、マゼンタ、シアン、黒のトナー像が形成される。形成されたイエロー、マゼンタ、シアン、黒のトナー像は、一次転写装置１２２Ｙ、１２２Ｍ、１２２Ｃ、１２２Ｋの作用により、移動する中間転写ベルト１０２上に順次重畳して転写され、転写されたトナー像Ｔは２次転写部１０６の中間転写ベルト１０２と２次転写ローラ１０１との間に搬送される記録媒体Ｐに転写され、定着装置１２３で定着処理され、フルカラーの画像が形成された記録媒体が完成する。
【００１１】
図７は、上記した中間転写体に中間転写ベルトを使用した画像形成装置１００の２次転写部１０６を拡大した断面図である。
【００１２】
図７において、２次転写部１０６は、対向して配置された２次転写ローラ１０１と巻掛ローラ１０３、及び中間転写ベルト１０２から構成され、２次転写ローラ１０１と中間転写ベルト１０２とは接触配置されて、接触部にニップ部Ｎが形成されている。
【００１３】
更に、２次転写部１０６の記録媒体搬送方向上流側に配置されたタイミングローラ対１０７と前記したニップ部Ｎとの中間には、図示されていない給紙装置から給送される記録媒体Ｐの搬送をガイドするため、転写前上ガイド１０８と転写前下ガイド１０９とが配置されている。
【００１４】
転写前上ガイド１０８と転写前下ガイド１０９とは、タイミングローラ対１０７と前記ニップ部Ｎとの中間の狭い空間に配置するため、金属板或いは合成樹脂板等の薄い部材が使用される。即ち、転写前上ガイド１０８は金属板或いは合成樹脂板で構成される。
【００１５】
また、転写前下ガイド１０９は金属板或いは合成樹脂板で構成された支持固定部材１０９ａの先端に電気絶縁性の樹脂フイルムのガイド１０９ｂが固定されている。これは、記録媒体Ｐを中間転写ベルト１０２に正確にガイドするためにガイド１０９ｂの先端を前記ニップ部Ｎに接近して配置するが、ガイド１０９ｂと２次転写ローラ１０１とが接近するために両者の間で転写電荷が放電してしまうことを防止するためであり、ガイド１０９ｂを電気絶縁性の樹脂フイルムで構成することで放電を防止している。
【００１６】
次にその動作を簡単に説明する。中間転写ベルト１０２の上には、作像ユニット１２１Ｙ、１２１Ｍ、１２１Ｃ、１２１Ｋにより各感光体上に形成されたトナー像が重畳転写され、重畳転写されたトナー像Ｔは中間転写ベルト１０２の矢印ａ方向の移動により２次転写部１０６に向け移動する。
【００１７】
一方、給紙装置から給送された記録媒体Ｐはタイミングローラ対１０７において一旦停止しているが、中間転写ベルト１０２の上のトナー像が２次転写部１０６に到達するタイミングに合わせてタイミングローラ対１０７が回転を開始し、記録媒体Ｐは転写前上ガイド１０８と転写前下ガイド１０９とによりガイドされ、２次転写部１０６に搬送される。
【００１８】
２次転写部１０６では、２次転写ローラ１０１に印加された電荷により中間転写ベルト１０２の上のトナー像Ｔが記録媒体Ｐに転写される。トナー像が転写された記録媒体Ｐは定着装置１２３（図６参照）に搬送され、記録媒体Ｐ上のトナー像の定着処理が行われる。
【００１９】
【発明が解決しようとする課題】
上記した従来の構成の２次転写部１０６では、記録媒体Ｐの搬送方向後端付近に転写不良、即ち中間転写ベルト１０２の上のトナー像Ｔが記録媒体Ｐの搬送方向後端付近に転写されないという不都合が発生する場合がある。その原因を調査すると、記録媒体の搬送方向後端が転写前下ガイド１０９の先端のガイド１０９ｂを通過した後に発生しており、記録媒体の搬送方向後端が中間転写ベルト１０２に向けて安定して適切にガイドされていないためと判明した。
【００２０】
即ち、第１に、記録媒体の腰の強さ（折り曲げに対する剛性）や、記録媒体がタイミングローラ対１０７とニップ部Ｎとの間にあるときに加わる引張力の大小により樹脂フイルムで構成されたガイド１０９ｂの曲り方が異なるため、記録媒体を中間転写ベルト１０２に向けるガイドを安定させることができず、特に記録媒体Ｐの搬送方向後端を安定して適切にガイドすることができないこと。
【００２１】
第２に、ガイド１０９ｂは長期間にわたり搬送される記録媒体Ｐに接触してガイドするため、永久変形が発生して記録媒体Ｐを中間転写ベルト１０２に向けて安定して適切にガイドできなくなること等が挙げられている。
【００２２】
この他、ガイド１０９ｂが樹脂フイルムで構成されているため、記録媒体Ｐが接触して通過することにより摩擦帯電してしまい、画像が乱れるなどの画像ノイズが発生しやすいという不都合もあった。
【００２３】
【課題を解決するための手段】
この発明は上記課題を解決するもので、請求項１の発明は、表面にトナー像が形成される像担持体と、前記像担持体に接触し、付与された転写電荷により像担持体上のトナー像を記録媒体に転写する転写機能体と、前記像担持体と転写機能体との接触により形成されるニップ部に向けて搬送される記録媒体を案内するガイド装置とを備えた画像形成装置の転写装置において、前記ガイド装置は、前記像担持体の側に向けて凸となる山形突起部を備えた第１部材と、該第１部材に一端が固定され、他端が前記ニップ部に向けて延びるフイルム状の第２部材とから構成され、前記第２部材は前記ニップ部の記録媒体搬送方向上流端と前記山形突起部とを結ぶ線よりも前記転写機能体の側に配置されていることを特徴とする画像形成装置の転写装置である。
【００２４】
そして、前記ガイド装置は、前記ニップ部に向けて延びるフイルム状の第２部材を除き、半導電性の樹脂材料で被覆するとよい。
【００２５】
そして、前記第１部材は、導電性又は半導電性材料で構成するとよい。
【００２６】
そして、前記第２部材は、電気絶縁性材料で構成するとよい。
【００２７】
さらに、前記第２部材の先端は、前記転写機能体に接触させるとよい。
【００２８】
【発明の実施の形態】
以下、この発明の実施の形態を説明する。
【００２９】
［第１の実施の形態］
図１は、第１の実施の形態の中間転写体に中間転写ベルトを使用した画像形成装置における、中間転写ベルト上のトナー像を記録媒体に転写する転写装置の構成を説明する断面図である。ここで、転写装置１０は前記した従来技術における２次転写部１０６に対応するものであり、以下の説明では「転写装置」と呼ぶことにする。なお、中間転写体に中間転写ベルトを使用した画像形成装置の全体構成は、先に図６を参照して説明した従来の画像形成装置と同様であるから、ここでは図示及び説明を省略する。
【００３０】
図１において、転写装置１０は、互いに対向して配置された転写機能体を構成する２次転写ローラ１１と巻掛ローラ１３、巻掛ローラ１３と図示されていないその他の巻掛ローラとの間に架設された像担持体を構成する中間転写ベルト１２から構成され、２次転写ローラ１１と巻掛ローラ１３に巻掛けられた中間転写ベルト１２とは接触配置されて、接触幅ｎのニップ部Ｎが形成されている。
【００３１】
更に、２次転写ローラ１１と巻掛ローラ１３との下側にはタイミングローラ対１４が配置されており、タイミングローラ対１４と前記したニップ部Ｎとの中間には、図示されていない給紙装置から給送される記録媒体Ｐの搬送をガイドするガイドユニット１５が配置され、ガイドユニット１５は転写前上ガイド１６と、本発明のガイド装置を構成する転写前下ガイド１７とから構成されている。
【００３２】
転写前上ガイド１６と転写前下ガイド１７とは、タイミングローラ対１４と前記ニップ部Ｎとの中間の狭い空間に配置するために薄くて剛性のある材料で構成され、記録媒体の腰の強さ（折り曲げに対する剛性）や、記録媒体に加わる引張力によっても変形に耐えるように構成され、搬送される記録媒体Ｐの全体を支えてガイドする。
【００３３】
即ち、転写前上ガイド１６は、金属板或いは合成樹脂板で構成される。
【００３４】
また、ガイド装置を構成する転写前下ガイド１７は、金属板或いは合成樹脂板で構成された第１部材である支持固定部材１７ａと、第２部材であるガイド１７ｂから構成される。
【００３５】
第１部材である支持固定部材１７ａには記録媒体Ｐの搬送方向に対して直交する方向に延びた凸部１７ｃが形成され、凸部１７ｃから先端側に第２部材である電気絶縁性の樹脂フイルムのガイド１７ｂが固定されて構成される。
【００３６】
そして、ガイド１７ｂは、接触幅ｎのニップ部Ｎの上流側端部Ｎ１と凸部１７ｃとを結ぶ線Ｌよりも２次転写ローラ１１側に位置するように配置され、樹脂フイルムのガイド１７ｂは、搬送される記録媒体Ｐの後端のみと接触して記録媒体Ｐの後端だけを支えてガイドするものとする。
【００３７】
転写前下ガイド１７の支持固定部材１７ａ表面は、フッ素樹脂やポリエチレン樹脂等の半導電性樹脂材料で被覆して帯電防止処理を行なうとよい。樹脂フイルムのガイド１７ｂには帯電防止処理は行わない。搬送される記録媒体Ｐの後端が接触して摩擦帯電しても、記録媒体Ｐの後端は画像記録領域の外であるから帯電により画像ノイズが発生しても問題はない。また、ガイド１７ｂは２次転写ローラ１１に接近しているので、前記した帯電防止処理により導電性が付与されると２次転写ローラ１１との間で放電、電荷のリーク等の障害が発生するおそれがあるからである。
【００３８】
次にその動作を簡単に説明する。中間転写ベルト１２の上には、図示されていない作像機構により感光体上に形成されたトナー像が転写され、中間転写ベルト１２の矢印ａ方向の移動により転写装置１０に向け移動する。
【００３９】
一方、図示しない給紙装置から給送された記録媒体Ｐはタイミングローラ対１４において一旦停止しているが、中間転写ベルト１２の上のトナー像が転写装置１０の転写位置に到達するタイミングに合わせてタイミングローラ対１４が回転を開始し、記録媒体Ｐはガイドユニット１５の転写前上ガイド１６と転写前下ガイド１７とによりガイドされ、転写装置１０の転写位置に搬送される。
【００４０】
転写位置では、２次転写ローラ１１に印加された電荷により中間転写ベルト１２の上のトナー像が記録媒体Ｐに転写される。トナー像が転写された記録媒体Ｐは搬送方向下流側に搬送され、図示しない定着装置により記録媒体Ｐ上のトナー像は定着処理される。
【００４１】
次に、転写装置１０の具体的な寸法構成や転写電荷の電位、記録媒体後端の転写不良部位の大きさ等についての実施例を説明する。
【００４２】
［実施例］
２次転写ローラ１１は、芯金の上に体積抵抗１０５〜１０１０Ω・ｃｍ程度の半導電性ゴム材を被覆して構成された直径約３０ｍｍのローラで、芯金に３００〜５０００Ｖの転写電荷（バイアス電位）が印加される。巻掛ローラ１３はステンレス鋼等の導電性材料で構成された直径約３０ｍｍのローラで、接地されている。中間転写ベルト１２はポリカーボネイト、ポリイミド、フッ素樹脂などに導電性フイラーを分散させた厚み５０〜２００ｍｍのフイルムで構成されており、体積抵抗１０５〜１０１０Ω・ｃｍ程度に調整されている。
【００４３】
転写前下ガイド１７のガイド１７ｂは、厚み５０〜２００μｍのポリエチレンテレフタレート（ＰＥＴ）からなる絶縁性フイルムを支持固定部材１７ａに接着固定して構成されている。ニップ部Ｎの接触幅ｎは約６ｍｍとし、ガイド１７ｂの先端をニップ部Ｎの直前に配置し、ニップ部Ｎの上流端Ｎ１とガイド１７ｂの先端と距離を約４ｍｍに設定し、２次転写ローラ１１には接触しない配置としてある。
【００４４】
上記実施例の構成によれば、記録媒体Ｐは、その後端がガイド１７ｂの先端を離れるまで中間転写ベルト１２に沿ってガイドされるから、転写不良部位は著しく小さくなり、記録媒体Ｐの後端に発生する転写不良部位の幅は約４ｍｍとなった。
【００４５】
上記実施例において、転写前下ガイド１７の支持固定部材１７ａを導電性の金属板で構成した場合、搬送される記録媒体Ｐが支持固定部材１７ａの上の凸部１７ｃを摺刷するから、多数枚の記録媒体Ｐが通過すると支持固定部材１７ａ全体に摩擦電荷が次第に蓄積する。
【００４６】
このため、使用者が記録媒体のジャム処理等のために支持固定部材１７ａに触れると電気ショックを受ける危険性があるから、図１で符号Ｅで示すように支持固定部材１７ａを接地するとよい。転写前上ガイド１６を導電性の金属板で構成した場合も同様に搬送される記録媒体Ｐの摺刷により摩擦電荷が次第に蓄積するから、支持固定部材１７ａと同様に接地するとよい。
【００４７】
一方、支持固定部材１７ａを接地したときは、高湿度環境に放置されて電気抵抗が低下した記録媒体Ｐを使用すると、２次転写ローラ１１に印加された転写電荷が記録媒体Ｐを経て支持固定部材１７ａに漏れてしまい、転写不良が発生する場合がある。
【００４８】
これを防止するためには、図２に示す変形例のように、支持固定部材１７ａと接地端子との間に５０ＭΩ〜１０００ＭΩ程度の高抵抗Ｒを直列に挿入するか、又は定電圧素子ＶＲを直列に挿入するとよい。定電圧素子ＶＲとしてはバリスタ電圧が５００Ｖ〜２０００Ｖ程度のバリスタを使用することができる。転写前上ガイド１６を導電性の金属板で構成した場合も同様に高抵抗Ｒを直列に挿入するか、又は定電圧素子ＶＲを直列に挿入するとよい。
【００４９】
［第２の実施の形態］
図３は第２の実施の形態の中間転写ベルト上のトナー像を記録媒体に転写する転写装置の構成を説明する断面図である。第２の実施の形態の転写装置は、第１の実施の形態の転写装置において、ガイド装置を構成する転写前下ガイド１７の電気絶縁性の樹脂フイルムのガイド１７ｂの記録媒体Ｐの搬送方向下流側の先端を、２次転写ローラ１１に接触する構成としたものである。
【００５０】
その他の構成は、第１の実施の形態の転写装置と変わらないので、同一部材には同一符号を付して説明を省略する。
【００５１】
この構成によれば、第１の実施の形態の転写装置よりも電気絶縁性の樹脂フイルムのガイド１７ｂの先端を２次転写ローラ１１と中間転写ベルト１２とが接触するニップ部Ｎの近傍に接近して配置することができる。ニップ部Ｎの上流端からガイド１７ｂの先端までの距離は２ｍｍ程度にまで狭めて構成でき、記録媒体Ｐの搬送方向後端がガイド１７ｂの先端から離れるまで中間転写ベルト１２に沿うようにガイドすることができるので、記録媒体Ｐの搬送方向後端がガイド１７ｂの先端から離れるまでの間の転写不良が防止される。この結果、記録媒体Ｐの搬送方向後端がガイド１７ｂから離れて落ち込む寸法を小さくでき、発生する転写不良幅は２ｍｍ程度にまで少なくすることができる。
【００５２】
ガイド１７ｂの先端が２次転写ローラ１１に接触して摩耗が発生することによる障害を防止するためには、ガイド１７ｂを構成する樹脂フイルムの厚みを５０〜１００μｍとすればよい。
【００５３】
［第３の実施の形態］
図４は第３の実施の形態の中間転写ベルト上のトナー像を記録媒体に転写する転写装置の構成を説明する断面図、図５はそのニップ部付近を通過する記録媒体Ｐの後端の状態を説明する拡大断面図である。
【００５４】
第３の実施の形態の転写装置は、第１の実施の形態の転写装置において、ガイド装置を構成する転写前下ガイド１７のガイド１７ｂの記録媒体Ｐの搬送方向下流側の先端を２次転写ローラ１１に接触させると共に、転写前下ガイド１７の支持固定部材１７ａの凸部１７ｃ付近の表面を半導電性材料の被覆体１８で被覆し、帯電防止処理を行なったものである。その他の構成は第１の実施の形態の転写装置と変わらないので、同一部材には同一符号を付して説明を省略する。
【００５５】
この構成によれば、第２の実施の形態と同様に、第１の実施の形態の転写装置よりも電気絶縁性の樹脂フイルムのガイド１７ｂの先端を２次転写ローラ１１と中間転写ベルト１２とが接触するニップ部Ｎの近傍に接近して配置することができる。
【００５６】
この構成によれば、ニップ部Ｎの上流端からガイド１７ｂの先端までの距離は２ｍｍ程度に構成することができ、図５に示すように、記録媒体Ｐの搬送方向後端がガイド１７ｂの先端から離れるまで中間転写ベルト１２に沿うようにガイドすることができるので、記録媒体Ｐの搬送方向後端がガイド１７ｂの先端から離れるまでの間の転写不良が防止される。この結果、記録媒体Ｐの搬送方向後端がガイド１７ｂから離れて落ち込む寸法を小さくでき、発生する転写不良幅は２ｍｍ程度にまで少なくすることができる。
【００５７】
また、ガイド１７ｂの先端が２次転写ローラ１１に接触して摩耗が発生するが、ガイド１７ｂを構成する樹脂フイルムとして薄い樹脂フイルムを使用することで摩耗を最小限に抑えることができる。摩耗による障害を防止するためには、ガイド１７ｂを構成する樹脂フイルムの厚みを５０〜１００μｍとすればよい。なお、搬送される記録媒体Ｐの大部分は支持固定部材１７ａの凸部１７ｃ付近で支持されるから、ガイド１７ｂに薄い樹脂フイルムの使用が可能である。
【００５８】
転写前下ガイド１７の支持固定部材１７ａをステンレススチール或いはＡＢＳ樹脂、ポリカーボネイト樹脂などで構成したとき、搬送される画像転写前の記録媒体Ｐが支持固定部材１７ａの記録媒体Ｐの搬送方向に対して直交する方向に延びて形成された凸部１７ｃに記録媒体Ｐが摺擦して摩擦帯電し、これが原因で転写時に画像の白抜けやトナーの飛び散り等の画像ノイズの発生する場合があるが、上記したように、支持固定部材１７ａの凸部１７ｃ付近の表面を半導電性材料、例えばフッ素樹脂やポリエチレン樹脂等の被覆体１８で被覆することで、画像の白抜けやトナーの飛び散り等の画像ノイズの発生を防止することができる。
【００５９】
また、上記半導電性材料の被覆体が直接に２次転写ローラ１１に接触すると、２次転写ローラ１１に印加された転写電荷が前記被覆体を介してニップ部Ｎの上流端及び記録媒体Ｐに漏洩し、記録媒体Ｐの全面が転写不良になってしまう。この不都合の防止には、半導電性材料の被覆体１８の下流側が電気絶縁性の樹脂フイルムのガイド１７ｂの先端よりも２次転写ローラ１１側に突出しないようにすることで転写不良を確実に防止することができる。
【００６０】
以上説明したこの発明の実施の形態には、以下に記載する発明も含まれる。即ち、
請求項１乃至請求項５において、前記第１部材は、導電性材料で構成されており接地されていることを特徴とする画像形成装置の転写装置。
【００６１】
請求項１乃至請求項５において、前記第１部材と接地間には、電気抵抗素子が挿入されていることを特徴とする画像形成装置の転写装置。
【００６２】
請求項１乃至請求項５において、前記第１部材と接地間には、定電圧素子が挿入されていることを特徴とする画像形成装置の転写装置。
【００６３】
【発明の効果】
以上詳細に説明したとおり、この発明は、表面にトナー像が形成される像担持体と、前記像担持体に接触し、付与された転写電荷により像担持体上のトナー像を記録媒体に転写する転写機能体と、前記像担持体と転写機能体との接触により形成されるニップ部に向けて搬送される記録媒体を案内するガイド装置とを備えた画像形成装置の転写装置において、ガイド装置を像担持体の側に向けて凸となる山形突起部を備えた第１部材と、第１部材に一端が固定され他端がニップ部に向けて延びるフイルム状の第２部材とから構成し、第２部材はニップ部の記録媒体搬送方向上流端と前記山形突起部とを結ぶ線よりも前記転写機能体の側に配置されるように構成したものである。
【００６４】
この構成により、転写装置を通過する記録媒体の後端は、ガイド装置の先端から離れるまで転写機能体（例えば中間転写ベルト）に沿うように安定してガイドすることができるから、記録媒体の後端に発生する転写不良をほぼ完全に防止することができる。
【００６５】
さらに、ガイド装置をステンレススチール或いはＡＢＳ樹脂、ポリカーボネイト樹脂などで構成したときは、その表面を半導電性材料（例えばフッ素樹脂やポリエチレン樹脂等）の被覆体で被覆することにより帯電を防止し、画像の白抜けやトナーの飛び散り等の画像ノイズの発生を防止することができる。
【図面の簡単な説明】
【図１】第１の実施の形態の中間転写ベルト上のトナー像を記録媒体に転写する転写装置の構成を説明する断面図。
【図２】第１の実施の形態の転写装置の変形例の構成を説明する断面図。
【図３】第２の実施の形態の中間転写ベルト上のトナー像を記録媒体に転写する転写装置の構成を説明する断面図。
【図４】第３の実施の形態の中間転写ベルト上のトナー像を記録媒体に転写する転写装置の構成を説明する断面図。
【図５】図４に示す転写装置のニップ部付近を通過する記録媒体の状態を説明する拡大断面図。
【図６】中間転写体に中間転写ベルトを使用した従来のタンデム方式のフルカラー画像形成装置の一例の構成の概略を説明する正面図。
【図７】図６に示す画像形成装置の２次転写部の拡大断面図。
【符号の説明】
１０　転写装置
１１　２次転写ローラ
１２　中間転写ベルト
１３　巻掛ローラ
１４　タイミングローラ対
１５　ガイドユニット
１６　転写前上ガイド
１７　転写前下ガイド（ガイド装置）
１７ａ　支持固定部材（第１部材）
１７ｂ　ガイド（第２部材）
１７ｃ　凸部
１８　被覆体（半導電性材料の被覆体）
【図１】
2004012851.tif 000003
【図２】
2004012851.tif 000004
【図３】
2004012851.tif 000005
【図４】
2004012851.tif 000006
【図５】
2004012851.tif 000007
【図６】
2004012851.tif 000008
【図７】
2004012851.tif 000009